【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
学習者により習得されるべきトピックを表す１以上のペダゴジをコンピュータメモリに記憶し、その１以上のペダゴジはそのペダゴジのサブトピックを表す１以上のペダゴジ項目を含んでおり、
１以上のペダゴジ項目に対して、そのペダゴジ項目への１以上の教授アプローチをコンピュータメモリに記憶し、教授アプローチは１以上の局部的に記憶された媒体項目および、または遠隔地媒体項目への１以上のリンクを含んでおり、
少なくとも一人の学習者に対する学習者プロファイルをコンピュータメモリ中に維持し、
コンピュータメモリ中に記憶されている１以上のペダゴジへの学習インターフェースを学習者に提供し、
学習者が１以上のペダゴジ項目を習得した表示を学習インターフェースにより学習者に示し、
１以上の媒体項目との学習者の対話に基づいて学習者に対する学習者プロファイルを更新し、
その学習者に対する学習者プロファイルが更新されたとき、学習者の１以上のペダゴジ項目の習得の表示をリフレッシュするステップを含んでいる教育の方法。
【請求項２】
学習者が初めてペダゴジにアクセスする前にその学習者に予備テストを行うステップをさらに含んでいる請求項１記載の方法。
【請求項３】
予備テストの結果にしたがって学習者に対する学習者プロファイルを更新するステップをさらに含んでいる請求項２記載の方法。
【請求項４】
１以上のペダゴジ項目について学習者に対して規定された習得レベルをコンピュータメモリ中に記憶するステップをさらに含んでいる請求項１乃至３のいずれか１項記載の方法。
【請求項５】
学習者があるペダゴジ中のペダゴジ項目を習得したことを示す表示は、その学習者が規定された習得レベルまで習得したペダゴジ項目の表示を含んでいる請求項４記載の方法。
【請求項６】
学習者があるペダゴジ中のペダゴジ項目を習得したことを示す表示は、その学習者のペダゴジ項目の１以上のものの習得レベルが高くなったことを示す増分表示を含んでいる請求項１乃至５のいずれか１項記載の方法。
【請求項７】
媒体項目は復習問題を含んでいる請求項１乃至６のいずれか１項記載の方法。
【請求項８】
学習者があるペダゴジ項目を習得したことを示す表示は、正解された復習問題の表示を含んでいる請求項７記載の方法。
【請求項９】
学習者の習得の表示は、復習問題でなされた試みの数の表示を含んでいる請求項７または８記載の方法。
【請求項１０】
学習者がそのペダゴジを終了していることを彼等が示したとき、事後テストをその学習者に行うステップをさらに含んでいる請求項１乃至９のいずれか１項記載の方法。
【請求項１１】
事後テストの結果を学習者に示すステップをさらに含んでいる請求項１０記載の方法。
【請求項１２】
学習者は、随意的にペダゴジ項目に対するいずれの教授アプローチに何時でもアクセスすることができる請求項１乃至１１のいずれか１項記載の方法。
【請求項１３】
学習者は、随意的にいずれのペダゴジ項目に何時でもアクセスすることができる請求項１乃至１２のいずれか１項記載の方法。
【請求項１４】
媒体項目はマルチメディアプレゼンテーションを含んでいる請求項１乃至１３のいずれか１項記載の方法。
【請求項１５】
媒体項目は対話式動画を含んでいる請求項１乃至１４のいずれか１項記載の方法。
【請求項１６】
媒体項目はテキストを含んでいる請求項１乃至１５のいずれか１項記載の方法。
【請求項１７】
媒体項目は１以上の学習者によって作成されたビデオを含んでいる請求項１乃至１６のいずれか１項記載の方法。
【請求項１８】
媒体項目はウェブページを含んでいる請求項１乃至１７のいずれか１項記載の方法。
【請求項１９】
媒体項目は生放送を含んでいる請求項１乃至１８のいずれか１項記載の方法。
【請求項２０】
媒体項目はビデオ会議リンクを含んでいる請求項１乃至１９のいずれか１項記載の方法。
【請求項２１】
１以上の局部的に記憶された媒体項目は、２以上の言語で利用可能である請求項１乃至２０のいずれか１項記載の方法。
【請求項２２】
１以上の局部的に記憶された媒体項目は、２以上の言語で同時に利用可能である請求項１乃至２１のいずれか１項記載の方法。
【請求項２３】
管理人が生徒の進歩データにアクセスし、１以上のペダゴジあるいはそこにある任意のペダゴジ項目または媒体項目を修正することのできる管理インターフェースを提供するステップをさらに含んでいる請求項１乃至２２のいずれか１項記載の方法。
【請求項２４】
管理人は、ある１つの学習アプローチに含めるための媒体項目を、利用可能なこれら媒体項目から選択することができる請求項１乃至２３のいずれか１項記載の方法。
【請求項２５】
１以上のペダゴジは科目にしたがってペタゴジクラスタにグループ化され、インデックスを付けられる請求項１乃至２４のいずれか１項記載の方法。
【請求項２６】
学習者は、最初にペダゴジクラスタを選択することにより１以上の関連したペダゴジに選択的にアクセスすることが可能である２５記載の方法。
【請求項２７】
１以上の学習者によって習得されるべきトピックを表す１以上のペダゴジデータオブジェクトと、
その１以上のペダゴジデータオブジェクトに関連して記憶されたものであって、その関連したペダゴジデータオブジェクトのサブトピックを表す１以上のペダゴジ項目データオブジェクトと、
その１以上のペダゴジ項目データオブジェクトに関連して記憶された１以上の局部的に記憶された媒体項目および、または遠隔地媒体項目への１以上のリンクと、
その１以上のペダゴジ項目データオブジェクトに関する学習者の習得レベルを表すデータを含んでいる少なくとも一人の学習者のプロファイルデータオブジェクトとを記憶するように構成されたデータメモリと、
データメモリ中に記憶されている１以上のペダゴジデータオブジェクトおよび関連したペダゴジ項目データオブジェクトへの学習インターフェースを学習者に表示するように構成されたディスプレイとを備えており、学習インターフェースはその学習者に対する学習者プロファイルデータオブジェクト中に記憶されているその学習者の１以上のペダゴジ項目データオブジェクトの習得レベルの表示を含んでおり、
さらに、学習者が１つのペダゴジ項目データオブジェクトに対する１以上の媒体項目と対話することを可能にするように構成された入力手段と、
１以上の媒体項目との学習者の対話を評価し、それに応じてその学習者に対する学習者プロファイルデータオブジェクト中の関連したペダゴジ項目データオブジェクトの習得レベルを調節することにより学習者プロファイルデータオブジェクトを更新するように構成された処理手段とを備えており、
ディスプレイはさらに、その学習者プロファイルデータオブジェクト中において習得レベルが調節されたときに、学習者の１以上のペダゴジ項目データオブジェクトの習得レベルの表示をリフレッシュするように構成されている教育用のシステム。
【請求項２８】
学習者は最初にペダゴジと対話する前に予備テストを課せられ、その予備テストの結果は、そのペダゴジに関連したペダゴジ項目の少なくとも１つに対する学習者プロファイルデータオブジェクト中の習得レベルを裏付けるために使用される請求項２７記載のシステム。
【請求項２９】
データメモリはさらに、１以上のペダゴジ項目に対する学習者の規定された習得レベルを記憶するように構成されている請求項２７または２８記載のシステム。
【請求項３０】
学習者のペダゴジ項目データオブジェクトの習得レベルの表示には、その学習者の関連した習得レベルが規定された習得レベルに等しいか、あるいはそれより高いペダゴジ項目データオブジェクトの表示が含まれている請求項２７乃至２９のいずれか１項記載のシステム。
【請求項３１】
学習者のペダゴジ項目データオブジェクトの習得レベルの表示には、ペダゴジ項目データオブジェクトの１以上のものに関するその学習者の習得レベルが上がったことを示す増分表示が含まれている請求項２７乃至３０のいずれか１項記載のシステム。
【請求項３２】
媒体項目は復習問題を含んでいる請求項２７乃至３１のいずれか１項記載のシステム。
【請求項３３】
学習者の習得レベルの表示には、正解された復習問題の表示が含まれている請求項２７乃至３２のいずれか１項記載のシステム。
【請求項３４】
学習者の習得レベルの表示には、復習問題でなされた試みの数の表示が含まれている請求項３３記載のシステム。
【請求項３５】
媒体項目はマルチメディアプレゼンテーションを含んでいる請求項２７乃至３４のいずれか１項記載のシステム。
【請求項３６】
媒体項目は対話式動画を含んでいる請求項２７乃至３５のいずれか１項記載のシステム。
【請求項３７】
媒体項目はテキストを含んでいる請求項２７乃至３６のいずれか１項記載のシステム。
【請求項３８】
媒体項目は１以上の学習者によって作成されたビデオを含んでいる請求項２７乃至３７のいずれか１項記載のシステム。
【請求項３９】
媒体項目はウェブページを含んでいる請求項２７乃至３８のいずれか１項記載のシステム。
【請求項４０】
媒体項目は生放送を含んでいる請求項２７乃至３９のいずれか１項記載のシステム。
【請求項４１】
媒体項目はビデオ会議リンクを含んでいる請求項２７乃至４０のいずれか１項記載のシステム。
【請求項４２】
１以上の局部的に記憶された媒体項目は、２以上の言語で利用可能である請求項２７乃至４１のいずれか１項記載のシステム。
【請求項４３】
１以上の局部的に記憶された媒体項目は、２以上の言語で同時に利用可能である請求項２７乃至４２のいずれか１項記載のシステム。
【請求項４４】
ディスプレイはさらに、管理人が生徒プロファイルデータオブジェクトにアクセスすることのできる管理インターフェースをその管理人に表示するように構成されている請求項２７乃至４３のいずれか１項記載のシステム。
【請求項４５】
管理インターフェースはさらに、管理人が１以上のペダゴジデータオブジェクトを修正することを可能にするように構成されている請求項４４記載のシステム。
【請求項４６】
管理インターフェースはさらに、管理人が１以上のペダゴジ項目データオブジェクトを修正することを可能にしている請求項４４または４５載のシステム。
【請求項４７】
管理インターフェースはさらに、管理人が任意の媒体項目を修正することを可能にしている請求項４４または４５載のシステム。
【請求項４８】
１以上のペダゴジデータオブジェクトは科目にしたがってペタゴジクラスタにグループ化され、インデックスを付けられている請求項２７乃至４７のいずれか１項記載のシステム。
【請求項４９】
学習インターフェースは、学習者が最初にペダゴジクラスタを選択することにより１以上の関連したペダゴジ項目に選択的にアクセスすることを可能にしている請求項２７乃至４８のいずれか１項記載のシステム。
【請求項５０】
学習インターフェースは、学習者が関連したペダゴジデータオブジェクトにアクセスしたときには何時でも任意のペダゴジ項目データオブジェクトに選択的にアクセスすることを可能にしている請求項２７乃至４９のいずれか１項記載のシステム。
【手続補正２】
【補正対象書類名】明細書
【補正対象項目名】０００３
【補正方法】変更
【補正の内容】
【０００３】
この評価は通常累積的であり、ユーザが通常ある制限時間内で一連の課題を行うように要請され、これらの課題が終了された後でのみフィードバックを与えられることを意味する。これは、たとえば、ある生徒がある学期期間授業に出て、その後学期末に試験を受けた場合に該当する。一度だけ試験が採点されて、生徒が評点を与えられ、教師はその生徒によってどの学習目標が達成され、どれが達成されていないかをよく理解する。  
【特許文献１】米国特許第 6,336,813号
【特許文献２】米国特許第 6,347,943号
【特許文献３】米国特許第 5,974,446号
【特許文献４】米国特許第 5,727,950号
【特許文献５】米国特許第 5,810,605号
【特許文献６】米国特許第 5,441,415号
【特許文献７】米国特許出願第 2002/0142278号
【特許文献８】米国特許出願第 2001/0023059号
【特許文献９】米国特許出願第 2001/0018178号
【特許文献１０】国際特許出願第 WO 98/13807号
【特許文献１１】国際特許出願第 WO 00/14700号
【特許文献１２】国際特許出願第 WO 02/29763号
【手続補正３】
【補正対象書類名】図面
【補正対象項目名】図１
【補正方法】変更
【補正の内容】
【図１】
2005513550.tif 000001